(57)【要約】【課題】より高精度なオートフォーカスを行うことができる。【解決手段】駆動制御部３は、撮像素子２内の全画素のうちの所定数の画素に対応する撮像信号を出力させる第１のモードで、撮像素子２に撮像信号を出力させる。レンズ駆動制御部５は、撮像素子２が第１のモードで出力した撮像信号に基づいてオートフォーカス制御を行う。顔検出部８は、撮像素子２が第１のモードで出力した撮像信号に基づいた画像から被写体像の特徴部分が撮像されている領域を判断する。駆動制御部３は、顔検出部８が検出した領域の画像に対応する撮像信号を出力させる第２のモードで、撮像素子２に撮像信号を出力させる。レンズ駆動制御部５は、撮像素子２が第２のモードで出力した撮像信号に基づいてオートフォーカス制御を行う。【選択図】図１
2010021846.tif 000002
【特許請求の範囲】
【請求項１】
撮像光学系により結像された被写体像を、複数の画素で光電変換することにより撮像信号を生成する撮像素子と、
前記撮像素子が前記撮像信号を出力する動作を制御する駆動制御部と、
オートフォーカス制御を行うフォーカス制御部と、
前記撮像信号に基づいた画像から前記被写体像の特徴部分が撮像されている領域を検出する検出部と、
を備え、
前記駆動制御部は、前記撮像素子内の全画素のうちの所定数の画素に対応する前記撮像信号を出力させる第１のモードで、前記撮像素子に前記撮像信号を出力させ、
前記フォーカス制御部は、前記撮像素子が前記第１のモードで出力した前記撮像信号に基づいてオートフォーカス制御を行い、
前記検出部は、前記撮像素子が前記第１のモードで出力した前記撮像信号に基づいた画像から前記被写体像の特徴部分が撮像されている領域を検出し、
前記駆動制御部はさらに、前記検出部が検出した前記領域の画像に対応する前記撮像信号を出力させる第２のモードで、前記撮像素子に前記撮像信号を出力させ、
前記フォーカス制御部はさらに、前記撮像素子が前記第２のモードで出力した前記撮像信号に基づいてオートフォーカス制御を行う
ことを特徴とする撮像装置。
【請求項２】
前記被写体像は人物の像である場合において、前記検出部は前記被写体像の顔部分が撮像されている領域を判断する
ことを特徴とする請求項１に記載の撮像装置。
【請求項３】
前記撮像素子は、前記第１のモードと比較し、前記第２のモードにおいて高フレームレートで前記撮像信号を出力する
ことを特徴とする請求項１または請求項２のいずれか１項に記載の撮像装置。
【請求項４】
撮像光学系により結像された被写体像を、複数の画素で光電変換することにより撮像信号を生成する撮像素子を備えた撮像装置の動作を制御するためのプログラムであって、
前記撮像素子が前記撮像信号を出力する動作を制御する駆動制御ステップと、
オートフォーカス制御を行うフォーカス制御ステップと、
前記撮像信号に基づいた画像から前記被写体像の特徴部分が撮像されている領域を検出する検出ステップと、
を前記撮像装置に実行させ、
前記駆動制御ステップは、前記撮像素子内の全画素のうちの所定数の画素に対応する前記撮像信号を出力させる第１のモードで、前記撮像素子に前記撮像信号を出力させ、
前記フォーカス制御ステップは、前記撮像素子が前記第１のモードで出力した前記撮像信号に基づいてオートフォーカス制御を行い、
前記検出ステップは、前記撮像素子が前記第１のモードで出力した前記撮像信号に基づいた画像から前記被写体像の特徴部分が撮像されている領域を検出し、
前記駆動制御ステップはさらに、前記検出ステップで検出した前記領域の画像に対応する前記撮像信号を出力させる第２のモードで、前記撮像素子に前記撮像信号を出力させ、
前記フォーカス制御ステップはさらに、前記撮像素子が前記第２のモードで出力した前記撮像信号に基づいてオートフォーカス制御を行う
ことを特徴とするプログラム。
【発明の詳細な説明】
【技術分野】
【０００１】
本発明は、画像を撮影する撮像装置および撮像装置の動作を制御するためのプログラムに関する。
【背景技術】
【０００２】
デジタルカメラは、液晶ディスプレイなどの表示部を有している。また、表示部は、本撮影前のプレビュー用となるライブビュー画像を所定の時間間隔で更新して表示する。デジタルカメラの撮影時において、このようなプレビュー用の画像表示（プレビュー表示）は被写体の撮影状況を把握するために非常に有用である。
【０００３】
また、オートフォーカス制御方式として、撮像素子からの撮像信号を用いる山登り方式がある。山登り方式は、撮像素子による画像のコントラスト等の合焦用評価値が最も大きくなるレンズ位置を合焦位置とする合焦制御方式である。この山登り方式は、被写体との距離を測定する測距センサを個別に設ける必要がないという利点を有しているため、多くのデジタルカメラにおいて採用されている。
【０００４】
撮像素子はライブビュー表示用には比較的広いエリアを読み出し、オートフォーカス用の読み出しは高速化を実現するために一部のエリアを読み出している。このような技術においては、下記の特許文献１に記載するものが存在する。この従来技術は撮像素子の全撮像エリアの画像データをメモリに一度記憶した後、全撮像エリアの画像データから狭い領域の画像データを切り出し、切り出した領域の画像データに基づいてオートフォーカスの処理を行う。
【特許文献１】特開２００２−２３０４９号公報
【発明の開示】
【発明が解決しようとする課題】
【０００５】
しかしながら、特許文献１に記載の技術では、広いエリアの画像データの中央部分を切り出した画像データを用いてオートフォーカスを行っている。これにより、広いエリアの画像データの中央部分以外の場所に被写体の特徴部分が存在する場合、被写体の特徴部分にフォーカスが合うとは限らない。よって、オートフォーカスの精度が低下するという問題がある。
【０００６】
本発明は、上記の課題を解決するためになされたものであり、より高精度にオートフォーカスを行うことが可能な撮像装置を提供することを特徴とする。
【課題を解決するための手段】
【０００７】
本発明は、撮像光学系により結像された被写体像を、複数の画素で光電変換することにより撮像信号を生成する撮像素子と、前記撮像素子が前記撮像信号を出力する動作を制御する駆動制御部と、オートフォーカス制御を行うフォーカス制御部と、前記撮像信号に基づいた画像から前記被写体像の特徴部分が撮像されている領域を検出する検出部と、を備え、前記駆動制御部は、前記撮像素子内の全画素のうちの所定数の画素に対応する前記撮像信号を出力させる第１のモードで、前記撮像素子に前記撮像信号を出力させ、前記フォーカス制御部は、前記撮像素子が前記第１のモードで出力した前記撮像信号に基づいてオートフォーカス制御を行い、前記検出部は、前記撮像素子が前記第１のモードで出力した前記撮像信号に基づいた画像から前記被写体像の特徴部分が撮像されている領域を検出し、前記駆動制御部はさらに、前記検出部が検出した前記領域の画像に対応する前記撮像信号を出力させる第２のモードで、前記撮像素子に前記撮像信号を出力させ、前記フォーカス制御部はさらに、前記撮像素子が前記第２のモードで出力した前記撮像信号に基づいてオートフォーカス制御を行うことを特徴とする撮像装置である。
【０００８】
また、本発明の撮像装置において、前記被写体像は人物の像である場合、前記検出部は前記被写体像の顔部分が撮像されている領域を判断することを特徴とする。
【０００９】
また、本発明の撮像装置において、前記撮像素子は、前記第１のモードと比較し、前記第２のモードにおいて高フレームレートで前記撮像信号を出力することを特徴とする。
【００１０】
また、本発明は、撮像光学系により結像された被写体像を、複数の画素で光電変換することにより撮像信号を生成する撮像素子を備えた撮像装置の動作を制御するためのプログラムであって、前記撮像素子が前記撮像信号を出力する動作を制御する駆動制御ステップと、オートフォーカス制御を行うフォーカス制御ステップと、前記撮像信号に基づいた画像から前記被写体像の特徴部分が撮像されている領域を検出する検出ステップと、を前記撮像装置に実行させ、前記駆動制御ステップは、前記撮像素子内の全画素のうちの所定数の画素に対応する前記撮像信号を出力させる第１のモードで、前記撮像素子に前記撮像信号を出力させ、前記フォーカス制御ステップは、前記撮像素子が前記第１のモードで出力した前記撮像信号に基づいてオートフォーカス制御を行い、前記検出ステップは、前記撮像素子が前記第１のモードで出力した前記撮像信号に基づいた画像から前記被写体像の特徴部分が撮像されている領域を検出し、前記駆動制御ステップはさらに、前記検出ステップで検出した前記領域の画像に対応する前記撮像信号を出力させる第２のモードで、前記撮像素子に前記撮像信号を出力させ、前記フォーカス制御ステップはさらに、前記撮像素子が前記第２のモードで出力した前記撮像信号に基づいてオートフォーカス制御を行うことを特徴とするプログラムである。
【発明の効果】
【００１１】
本発明によれば、より高精度にオートフォーカスを行うことができる。
【発明を実施するための最良の形態】
【００１２】
以下、図面を参照し、本発明の第一の実施形態を説明する。図１は本実施形態による撮像装置の構成を示した構成図である。撮像装置は撮影レンズ１と、撮像素子２と、駆動制御部３と、読み出し設定部４と、レンズ駆動制御部５と、ＡＦ（Ａｕｔｏ−Ｆｏｃｕｓ、オートフォーカス）評価演算部６と、画像処理部７と、顔検出部８と、表示制御部９と、表示部１０と、ＣＰＵ１１と、シャッタースイッチ１２とを備えている。
【００１３】
はじめに、撮像装置の概略を説明する。撮影レンズ１は光学像を結像する。撮像素子２は光学像を光電変換し撮像信号を出力する。この撮像信号はアナログ信号であり、図示せぬアナログ／デジタル変換部によりデジタル信号に変換される。読み出し設定部４は、撮像素子２が出力する撮像信号の読み出し領域や読み出し方法などを設定する。駆動制御部３は、読み出し設定部４の設定に基づいて撮像素子２の駆動を制御する。レンズ駆動制御部５は、撮影レンズ１の駆動制御を行う。ＡＦ評価演算部６は、アナログ／デジタル変換部が変換したデジタル信号を用いてＡＦ評価値を演算する。画像処理部７は、画像の処理を行う。具体的には、画像処理部７は、アナログ／デジタル変換部が変換したデジタル信号をカラー信号に変換するなどの画像処理を行う。顔検出部８は、画像処理部７が出力したカラー信号に基づく画像中に含まれる顔を検出する。表示制御部９は、画像処理部７が出力したカラー信号に基づく画像を表示部１０に表示するための制御を行う。表示部１０は画像を表示する。ＣＰＵ１１は撮像装置全体を制御する。シャッタースイッチ１２は、撮像命令を受け付ける。
【００１４】
次に、撮像装置の詳細について説明する。撮影レンズ１は、レンズ駆動制御部５によって駆動され、撮像素子２上に結像する像の合焦状態を変化させるように構成される。自動合焦時には、ＡＦ評価演算部６が演算するＡＦ評価値に基づいてＣＰＵ１１は撮影レンズの駆動量を決定する。レンズ駆動制御部５は、ＣＰＵ１１が決定した撮影レンズの駆動量に基づいて撮影レンズ１を駆動する。なお、レンズ駆動制御部５と、ＡＦ評価演算部６と、ＣＰＵ１１とを含んでフォーカス制御部は構成される。
【００１５】
撮像素子２は、画素加算読み出しと、間引き読み出しと、水平および垂直方向の切り出し読み出しとを行うことが可能な素子である。画素加算読み出しは、複数の画素で１つの撮像信号を出力する読み出し方法である。例えば、隣接する４画素で１つの撮像信号を出力する。間引き読み出しは、複数並んでいる画素のうち、一定間隔で撮像信号を出力する画素を設定する読み出し方法である。例えば、３画素ごとに撮像信号を出力し、その間の２つの画素は撮像信号を出力しない。水平および垂直方向の切り出し読み出しは、複数並んでいる画素のうち、撮像信号を出力する画素の領域を定める読み出し方法である。例えば、複数の画素のうち、水平方向１０００画素・垂直方向５００画素で定めた領域に含まれる画素が撮像信号を出力する。なお、水平および垂直方向の切り出し読み出しでは、撮像素子２が出力する撮像信号の量は少ないため、高速に撮像信号を出力することができる。
【００１６】
ＡＦ評価演算部６は、シャッタースイッチ１２がユーザの操作によって半押し状態となった場合に、コントラス方式の自動合焦制御を行うための評価値演算を行う。顔検出部８は、画像処理部７が出力したカラー信号中に含まれる顔を検出する。続いて、顔検出部８は、検出した顔が含まれる領域（顔のエリア）を検出する。例えば、顔のエリアは、検出した顔の位置を中心とする水平方向１０００画素・垂直方向５００画素で定めた領域である。
【００１７】
表示制御部９は、画像処理部７が出力したカラー信号に基づく画像を表示部１０に表示するための制御として、画像処理部７が出力するカラー信号の解像度を変換するなどの処理を行う。また、表示のタイミングを調整する。表示部１０は、ＬＣＤ（Ｌｉｑｕｉｄ  Ｃｒｙｓｔａｌ  Ｄｉｓｐｌａｙ、液晶ディスプレイ）やＥＶＦ（Ｅｌｅｃｔｒｏｎｉｃ  Ｖｉｅｗ  Ｆｉｎｄｅｒ、電子ビューファインダ）などの表示装置である。
【００１８】
次に、図２を参照して撮像素子２が撮像信号を出力するタイミングと、表示部１０がライブビュー画像を表示するタイミングと、ＡＦ評価演算部６がＡＦ評価値演算を行うタイミングとの関係を説明する。図２は、撮像素子２の読み出しモード（符号２０１の部分）と、撮像素子２が撮像信号を出力するタイミング（符号２０２の部分）と、表示部１０がライブビュー画像を表示するタイミング（符号２０３の部分）と、ＡＦ評価演算部６がＡＦ評価値の演算を行うタイミング（符号２０４の部分）と、撮像素子２の読み出しモードに応じた画像２１０，２１１（符号２０５の部分）と、撮像素子２が出力した撮像信号が使用される用途（符号２０６の部分）とを示している。
【００１９】
読み出しモードが「加算」の場合、撮像素子２はフレームレートＮｆｐｓ（Ｆｒａｍｅｓ  Ｐｅｒ  Ｓｅｃｏｎｄ）で撮像する。すなわち撮像素子２は（１／Ｎ）秒ごとに撮像する。また、読み出しモードが「切り出し」の場合、撮像素子２はフレームレート３Ｎｆｐｓで撮像する。すなわち撮像素子２は（１／３Ｎ）秒ごとに撮像する。これは、水平および垂直方向の切り出し読み出しでは、撮像素子２は高速に撮像することができるためである。
【００２０】
また、ＡＦ評価演算部６は、撮像素子２が撮像したすべての撮像信号に基づいてＡＦ評価値の演算を行う。すなわち、ＡＦ評価演算部６は、読み出しモードが「加算」の場合、（１／Ｎ）秒ごとにＡＦ評価値の演算を行い、読み出しモードが「切り出し」の場合、（１／３Ｎ）秒ごとにＡＦ評価値の演算を行う。
【００２１】
また、読み出しモードがどの場合にでも、表示部１０はフレームレート（Ｎ／２）ｆｐｓで画像を表示する。すなわち表示部１０は（２／Ｎ）秒ごとに表示する画像を更新する。
【００２２】
なお、読み出しモードが「加算」の場合、撮像素子２は、撮像素子２の有効画素領域全体（広い領域）の撮像信号を出力する。画像２１０はこの撮像信号に基づいた画像である。なお、読み出しモードが「加算」の場合、撮像素子２は複数の画素で１つの撮像信号を出力する。また、読み出しモードが「切り出し」の場合、撮像素子２は、顔画像が含まれる領域の撮像信号を出力する画素から撮像信号を出力する。画像２１１はこの撮像信号に基づいた画像である。
【００２３】
図示する例では、ファーストレリーズ検出から顔エリア検出まで、読み出しモードは「加算」に設定されている。また、顔エリア検出後、読み出しモードは「切り出し」と「加算」とが（１／Ｎ）秒ごとに交互に設定されている。すなわち、ファーストレリーズ検出後においても、撮像素子２は（２／Ｎ）秒ごとに読み出しモード「加算」で撮像信号を出力する。これにより、表示部１０は（２／Ｎ）秒ごとに表示する画像を更新した場合においても、読み出しモード「加算」で出力された撮像信号に基づいた画像を表示することができる。
【００２４】
また、ＡＦ評価演算部６は、読み出しモードが「切り出し」の場合、（１／３Ｎ）秒ごとにＡＦ評価値の演算を行う。これにより、読み出しモードが「切り出し」の場合においては、より高速なＡＦ評価値演算を行うことができる。
【００２５】
次に、図３を参照して撮像装置１の動作を説明する。
（ステップＳ１０）ＣＰＵ１１は、シャッタースイッチ１２がファーストレリーズ（シャッタースイッチ１２の半押し）を受け付けたか否か判断する。ＣＰＵ１１がファーストレリーズを受け付けたと判断した場合はステップＳ１１に進み、それ以外はステップＳ１０を再度実行する。
（ステップＳ１１）読み出し設定部４は、読み出しモードを「加算」に設定する。続いて、駆動制御部３は、読み出しモード「加算」に基づいて撮像素子２の駆動制御を行う。撮像素子２は、撮像素子２の有効画素領域全体の撮像信号を出力する。続いて、アナログ／デジタル変換部は、撮像信号をデジタル信号に変換する。続いて、画像処理部７は、デジタル信号に基づいてカラー信号を作成する。続いて、表示制御部９は、カラー信号を表示部１０がライブビュー画像として表示できるように制御を行う。表示部１０はライブビュー画像を表示する。その後、ステップＳ１２に進む。
【００２６】
（ステップＳ１２）ＡＦ評価演算部６は、ステップＳ１１で撮像素子２が出力したデジタル信号に基づいてＡＦ評価値を算出する。その後、ステップＳ１３に進む。
（ステップＳ１３）ＣＰＵ１１は、ステップＳ１２で算出したＡＦ評価値が予め設定している範囲内の値であるか否か判断する。ＣＰＵ１１が、ステップＳ１２で算出したＡＦ評価値が予め設定した範囲内の値であると判断した場合はステップＳ１４に進み、それ以外はステップＳ１６に進む。
【００２７】
（ステップＳ１４）顔検出部８は、ステップＳ１１で画像処理部７が作成したカラー信号に含まれる顔画像の検出を開始する。その後、ステップS１５に進む。
（ステップＳ１５）ＣＰＵ１１は、顔検出部８が顔画像を検出したか否か判断する。検出したと判断した場合はステップＳ１７に進み、それ以外はステップＳ１６に進む。
【００２８】
（ステップＳ１６）レンズ駆動制御部５は、ステップＳ１２で算出したＡＦ評価値に基づいて撮影レンズ１の駆動を行い、フォーカスを合わせる。その後、ステップＳ１１に戻る。ステップＳ１６の処理で撮影レンズ１のフォーカスが徐々に合うため、ステップＳ１１からステップＳ１６の処理を繰り返すことで、ＡＦ評価値の値は最適な値に近づく。なお、ステップＳ１６で用いるＡＦ評価値は、複数の画素で１つの撮像信号を出力するモードである読み出しモード「加算」で読み出した撮像信号に基づいた値である。よって、この時点ではフォーカスは荒く合う。
【００２９】
（ステップＳ１７）読み出し設定部４は、読み出しモードを「切り出し」と「加算」とを（１／Ｎ）秒ごとに交互に設定する。駆動制御部３は、読み出しモード「切り出し」および「加算」に基づいて撮像素子２の駆動制御を行う。撮像素子２は、読み出しモードに応じた撮像信号を出力する。読み出しモードが「切り出し」の場合、切り出す範囲はステップＳ１５で検出した顔画像を含んだ領域である。また、読み出しモードが「切り出し」の場合、撮像素子２は（１／３Ｎ）秒ごとに撮像信号を出力する。続いて、アナログ／デジタル変換部は、撮像信号をデジタル信号に変換する。続いて、画像処理部７は、デジタル信号に基づいてカラー信号を作成する。続いて、表示制御部９は、読み出しモードが「加算」の場合、カラー信号を表示部１０がライブビュー画像として表示できるように制御を行い、表示部１０はカラー画像を表示する。その後、ステップＳ１８に進む。
【００３０】
（ステップＳ１８）ＡＦ評価演算部６は、ステップＳ１７でアナログ／デジタル変換部が出力したデジタル信号に基づいてＡＦ評価値を算出する。その後、ステップＳ１９に進む。
（ステップＳ１９）ＣＰＵ１１は、ステップＳ１８で算出したＡＦ評価値が予め設定している範囲内の値であるか否か判断する。ＣＰＵ１１がステップＳ１８で算出したＡＦ評価値が予め設定している範囲内の値であると判断した場合はステップＳ２１に進み、それ以外はステップＳ２０に進む。なお、精度の高いフォーカスを行うため、予め設定している範囲は、ステップＳ１３の範囲と比較してステップＳ１９の範囲の方がより狭い。
【００３１】
（ステップＳ２０）レンズ駆動制御部５は、ステップＳ１８で算出したＡＦ評価値に基づいて撮影レンズ１の駆動を行い、フォーカスを合わせる。その後、ステップＳ１７に戻る。ステップＳ２０の処理で撮影レンズ１のフォーカスが徐々に合うため、ステップＳ１７からステップＳ２０の処理を繰り返すことで、ＡＦ評価値の値は最適な値に近づく。ステップＳ２０で用いるＡＦ評価値は、読み出しモード「加算」で撮像素子２が出力した撮像信号と、読み出しモード「切り出し」で撮像素子２が出力した撮像信号とに基づいている。さらに読み出しモード「切り出し」の場合、撮像素子２は（１／３Ｎ）秒ごとに撮像信号を出力する。これにより、高速にフォーカスを合わせることができる。
【００３２】
（ステップＳ２１）ＣＰＵ１１は、フォーカスが合ったことを操作者に知らせる表示である合焦サイン画像を表示制御部９に入力する。表示制御部９は、合焦サイン画像を表示部１０に表示させる制御を行う。表示部１０は合焦サイン画像を表示する。その後、処理を終了する。なお、表示部１０に合焦サイン画像が表示された場合、操作者はシャッタースイッチ１２を全押しする（セカンドレリーズ）。ＣＰＵ１１は、シャッタースイッチ１２が全押しされた場合、シャッターを切る。
【００３３】
なお、ステップＳ２０で、音声を用いて合焦したことを操作者に知らせても良い。また、ステップＳ２０ではフォーカスが合っているためシャッターを自動で切っても良い。また、ステップＳ１７で読み出しモードが「切り出し」の場合、切り出す範囲はステップＳ１５で検出した顔が含まれる領域としたが、ユーザが設定した固定領域でも良い。
【００３４】
また、ステップＳ２０では、読み出しモード「加算」で撮像素子２が出力した撮像信号と、読み出しモード「切り出し」で撮像素子２が出力した撮像信号とに基づいたＡＦ評価値を用いてレンズ駆動制御部５はフォーカスを合わせたが、読み出しモード「切り出し」で撮像素子２が出力した撮像信号に基づいたＡＦ評価値のみを用いてレンズ駆動制御部５はフォーカスを合わせてもよい。
【００３５】
上述したとおり、本実施形態によれば、全体の画像を撮像した撮像信号を用いて大まかにフォーカスを合わせ、特徴部分を検出できるような撮像信号を取得する。続いて、特徴部分を検出し、検出した特徴部分を撮像した撮像信号を用いてオートフォーカスを行う。これにより、特徴部分が全体の画像のどの部分に存在していても、特徴部分にフォーカスを高精度で合わせることができる。すなわち、被写体が急に動いた場合でも、高速にフォーカスを追従させることができる。
【００３６】
また、最初に大まかにフォーカスを合わせ、フォーカスが大まかに合った状態で撮像した特徴部分の撮像信号に基づいてフォーカスを合わせるため、より高速に特徴部分にフォーカスを合わせることができる。
【００３７】
また、所定の間隔で全体の画像を撮像しているため、特徴部分を撮像している際においても、表示部は常に全体の画像を表示部に表示することができる。すなわち、ライブビュー画像として全体の画像を表示部に表示しつつ、より高速にフォーカスを合わせることができる。
【００３８】
なお、上述した実施形態における撮像装置の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００３９】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００４０】
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００４１】
【図１】本発明の一実施形態における撮像装置の構成を示した構成図である。
【図２】本実施形態において、撮像素子がデジタル信号を出力するタイミングを示した図である。
【図３】本実施形態における撮像装置の動作手順を示したフローチャートである。
【符号の説明】
【００４２】
１・・・撮影レンズ、２・・・撮像素子、３・・・駆動制御部、４・・・読み出し設定部、５・・・レンズ駆動制御部、６・・・ＡＦ評価演算部、７・・・画像処理部、８・・・顔検出部、９・・・表示制御部、１０・・・表示部、１１・・・ＣＰＵ、１２・・・シャッタースイッチ
【図１】
2010021846.tif 000003
【図２】
2010021846.tif 000004
【図３】
2010021846.tif 000005